(57)【要約】【課題】  フィルタの取り外しが簡単に行える換気装置を提供する。【解決手段】  外気を導入する外気導入口１１とこの外気導入口１１から導入した外気を室内へ給気する室内給気口９,１０とを設けた本体ケース３と、外気導入口１１から外気を吸気して室内給気口９,１０へ送り出す送風ファン２１と、室内給気口９,１０から室内へ給気される空気を清浄するとともに着脱可能に設けられたフィルタ２４と、本体ケース３の下面に設けられた開口に取り付けたフロントパネル１２とを備えた換気装置であって、フロントパネル１２にサブパネル１７を着脱可能に設け、このサブパネル１７を外してフィルタ２４を取り外せるようにした。【選択図】  図１
2005147509.tif 000002
【特許請求の範囲】
【請求項１】
外気を導入する外気導入口とこの外気導入口から導入した外気を室内へ給気する室内給気口とを設けた本体ケースと、前記外気導入口から外気を吸気して室内給気口へ送り出す第１送風ファンと、前記室内給気口から室内へ給気される空気を清浄するとともに着脱可能に設けられた第１フィルタと、前記本体ケースの下面に設けられた開口に取り付けたフロントパネルとを備えた換気装置であって、
前記フロントパネルに第１サブパネルを着脱可能に設け、
この第１サブパネルを外して前記第１フィルタを取り外せるようにしたことを特徴とする換気装置。
【請求項２】
前記第１フィルタを前記第１サブパネルとともに一体的に取り外せるようにしたことを特徴とする請求項１に記載の換気装置。
【請求項３】
前記第１サブパネルに第１孔を設け、
前記第１フィルタを本体ケースに固定する第１固定手段と、
前記第１孔に挿入する抜差部材とを備え、
この抜差部材の先端部を前記第１孔に挿入することにより前記第１固定手段による固定が解除され、この抜差部材を引き下げることにより前記第１フィルタおよび第１サブパネルが本体ケースから取り外せることを特徴とする請求項２に記載の換気装置。
【請求項４】
前記第１固定手段は、本体ケースに設けられた第１係合部材と、第１フィルタを取り付けた第１基台に左右方向に移動可能に設けられるとともに前記第１係合部材に係合して前記第１基台を本体ケースに固定する第１係止部材と、前記抜差部材の回動操作によって回動する第１回動部材と、この第１回動部材の回動によって前記第１係止部材を左右方向に移動させる第１移動手段とを備え、この第１移動手段は、前記第１係止部材を左右方向のどちらか一方へ移動させて第１係合部材に係合させることにより第１フィルタを本体ケースに固定し、その第１移動部材を他方へ移動させることによりその係合を外して前記固定を解除することを特徴とする請求項３に記載の換気装置。
【請求項５】
室内の空気を吸い込む吸込口と、この吸込口から吸い込んだ空気を外へ排気する排気口と、前記吸込口から空気を吸い込んで前記排気口へ排気させる第２送風ファンと、前記吸込口から吸い込んだ空気と外気吸入口から導入した外気との熱交換を行う熱交換手段と、前記吸込口から吸い込んだ空気を清浄するとともに前記熱交換手段に対して上流側に配置された第２フィルタとを備え、
前記第１フィルタは熱交換手段に対して上流側に配置され、
前記フロントパネルに第２サブパネルを着脱可能に設け、
この第２サブパネルを外すことにより前記第２フィルタを取り外せるようにしたことを特徴とする請求項１ないし請求項４のいづれか１つに記載の換気装置。
【請求項６】
前記第２フィルタを前記第２サブパネルとともに一体的に取り外せるようにしたことを特徴とする請求項５に記載の換気装置。
【請求項７】
前記第２サブパネルに前記抜差部材の先端部を挿入する第２孔を設け、
前記第２フィルタを本体ケースに固定する第２固定手段を設け、
前記抜差部材の先端部を前記第２孔に挿入することにより前記第２固定手段による固定が解除され、この抜差部材を引き下げることにより前記第２フィルタおよび第２サブパネルが本体ケースから取り外せることを特徴とする請求項６に記載の換気装置。
【請求項８】
前記第２固定手段は、本体ケースに設けられた第２係合部材と、第２フィルタを取り付けた第２基台に左右方向に移動可能に設けられるとともに前記第２係合部材に係合して前記第２基台を本体ケースに取り付ける第２係止部材と、前記抜差部材の回動操作によって回動する第２回動部材と、この第２回動部材の回動によって前記第２係止部材を左右方向に移動させる第２移動手段とを備え、この第２移動手段は、前記第２係止部材を左右方向のどちらか一方へ移動させて第２係合部材に係合させることにより第２フィルタを本体ケースに固定し、その第２係止部材を他方へ移動させることによりその係合を外して前記固定を解除することを特徴とする請求項７に記載の換気装置。
【請求項９】
外気を導入する外気導入口と、この外気導入口から導入した外気を室内へ給気する室内給気口と、室内の空気を吸い込む吸込口と、この吸込口から吸い込んだ空気を外へ排気する排気口とを有する本体ケースと、
前記外気導入口から外気を吸気して室内給気口へ送り出す第１送風ファンと、
前記吸込口から空気を吸い込んで前記排気口へ排気させる第２送風ファンと、
前記吸込口から吸い込んだ空気と外気吸入口から導入した外気との熱交換を行う熱交換手段と、
前記外気導入口から導入された外気を清浄するとともに前記熱交換手段に対して上流側に配置された第１フィルタと、
前記吸込口から吸い込んだ空気を清浄するとともに前記熱交換手段に対して上流側に配置された第２フィルタと、
前記本体ケースの下面に設けた開口を覆うフロントパネルとを備えた換気装置であって、
前記フロントパネルに前記第１,第２フィルタを取り付け、フロントパネルを外すことによりフロントパネルとともに第１,第２フィルタが本体ケースから取り外せることを特徴とする換気装置。
【請求項１０】
フロントパネルと本体ケースに固定する固定手段と、この固定手段による固定を解除するための抜差部材とを備え、
前記固定手段は、本体ケースに設けられた係合部材と、前記フロントパネルに設けられるとともに前記係合部材に係合してフロントパネルを本体ケースに取り付ける係止部材と、前記抜差部材の先端部に係合してその抜差部材の回動操作によって回動する回動部材と、この回動部材の回動によって前記係止部材を左右方向に移動させる移動手段とを備え、この移動手段は、前記係止部材を左右方向のどちらか一方へ移動させて係合部材に係合させることによりフロントパネルを本体ケースに固定し、その移動部材を他方へ移動させることによりその係合を外して前記固定を解除することを特徴とする請求項９に記載の換気装置。
【発明の詳細な説明】
【技術分野】
【０００１】
この発明は、室内の換気を行う換気装置に関する。
【背景技術】
【０００２】
従来、気密化・断熱化した住宅が提供されており、この気密化・断熱化により優れた居住性を実現している。しかし、気密化により室内の風通しが悪くなるので、換気装置を取り付けて室内の換気を２４時間行うようにしている（例えば、特許文献１参照。）。
【０００３】
ところで、この換気装置は、下面が開口した本体ケースに、外気を導入する外気導入口と、この外気導入口から導入した外気を室内へ給気する室内給気口とを設け、上記外気導入口から外気を吸気して室内給気口へ送り出す送風ファンと、上記室内給気口から室内へ給気される空気を清浄するフィルタとを前記本体ケース内に設け、この本体ケースの開口にフロントパネルを取り付けたものである。
【０００４】
かかる換気装置にあっては、長期間の使用によりフィルタが汚れたりするので、そのフィルタの交換や掃除を行ったりするために本体ケースからフィルタが取り外せるようになっている。
【特許文献１】特開平１０−２８１５２３号公報（図１、第３頁）
【発明の開示】
【発明が解決しようとする課題】
【０００５】
しかしながら、従来の換気装置では、フィルタを取り外す場合、脚立や椅子等の上に立ち、上を見ながらフロントパネルを外し、さらにネジを外してフィルタを取り外すという作業を行わなければならなかった。このため、フィルタの取り外し作業は大変面倒であるという問題があった。
【０００６】
この発明の目的は、フィルタの取り外しが簡単に行える換気装置を提供することにある。
【課題を解決するための手段】
【０００７】
請求項１の発明は、外気を導入する外気導入口とこの外気導入口から導入した外気を室内へ給気する室内給気口とを設けた本体ケースと、前記外気導入口から外気を吸気して室内給気口へ送り出す第１送風ファンと、前記室内給気口から室内へ給気される空気を清浄するとともに着脱可能に設けられた第１フィルタと、前記本体ケースの下面に設けられた開口に取り付けたフロントパネルとを備えた換気装置であって、
前記フロントパネルに第１サブパネルを着脱可能に設け、
この第１サブパネルを外して前記第１フィルタを取り外せるようにしたことを特徴とする。
【０００８】
請求項２の発明は、前記第１フィルタを前記第１サブパネルとともに一体的に取り外せるようにしたことを特徴とする。
【０００９】
請求項３の発明は、前記第１サブパネルに第１孔を設け、
前記第１フィルタを本体ケースに固定する第１固定手段と、
前記第１孔に挿入する抜差部材とを備え、
この抜差部材の先端部を前記第１孔に挿入することにより前記第１固定手段による固定が解除され、この抜差部材を引き下げることにより前記第１フィルタおよび第１サブパネルが本体ケースから取り外せることを特徴とする。
【００１０】
請求項４の発明は、前記第１固定手段は、本体ケースに設けられた第１係合部材と、第１フィルタを取り付けた第１基台に左右方向に移動可能に設けられるとともに前記第１係合部材に係合して前記第１基台を本体ケースに固定する第１係止部材と、前記抜差部材の回動操作によって回動する第１回動部材と、この第１回動部材の回動によって前記第１係止部材を左右方向に移動させる第１移動手段とを備え、この第１移動手段は、前記第１係止部材を左右方向のどちらか一方へ移動させて第１係合部材に係合させることにより第１フィルタを本体ケースに固定し、その第１移動部材を他方へ移動させることによりその係合を外して前記固定を解除することを特徴とする。
【００１１】
請求項５の発明は、室内の空気を吸い込む吸込口と、この吸込口から吸い込んだ空気を外へ排気する排気口と、前記吸込口から空気を吸い込んで前記排気口へ排気させる第２送風ファンと、前記吸込口から吸い込んだ空気と外気吸入口から導入した外気との熱交換を行う熱交換手段と、前記吸込口から吸い込んだ空気を清浄するとともに前記熱交換手段に対して上流側に配置された第２フィルタとを備え、
前記第１フィルタは熱交換手段に対して上流側に配置され、
前記フロントパネルに第２サブパネルを着脱可能に設け、
この第２サブパネルを外すことにより前記第２フィルタを取り外せるようにしたことを特徴とする。
【００１２】
請求項６の発明は、前記第２フィルタを前記第２サブパネルとともに一体的に取り外せるようにしたことを特徴とする。
【００１３】
請求項７の発明は、前記第２サブパネルに前記抜差部材の先端部を挿入する第２孔を設け、
前記第２フィルタを本体ケースに固定する第２固定手段を設け、
前記抜差部材の先端部を前記第２孔に挿入することにより前記第２固定手段による固定が解除され、この抜差部材を引き下げることにより前記第２フィルタおよび第２サブパネルが本体ケースから取り外せることを特徴とする。
【００１４】
請求項８の発明は、前記第２固定手段は、本体ケースに設けられた第２係合部材と、第２フィルタを取り付けた第２基台に左右方向に移動可能に設けられるとともに前記第２係合部材に係合して前記第２基台を本体ケースに取り付ける第２係止部材と、前記抜差部材の回動操作によって回動する第２回動部材と、この第２回動部材の回動によって前記第２係止部材を左右方向に移動させる第２移動手段とを備え、この第２移動手段は、前記第２係止部材を左右方向のどちらか一方へ移動させて第２係合部材に係合させることにより第２フィルタを本体ケースに固定し、その第２係止部材を他方へ移動させることによりその係合を外して前記固定を解除することを特徴とする。
【００１５】
請求項９の発明は、外気を導入する外気導入口と、この外気導入口から導入した外気を室内へ給気する室内給気口と、室内の空気を吸い込む吸込口と、この吸込口から吸い込んだ空気を外へ排気する排気口とを有する本体ケースと、
前記外気導入口から外気を吸気して室内給気口へ送り出す第１送風ファンと、
前記吸込口から空気を吸い込んで前記排気口へ排気させる第２送風ファンと、
前記吸込口から吸い込んだ空気と外気吸入口から導入した外気との熱交換を行う熱交換手段と、
前記外気導入口から導入された外気を清浄するとともに前記熱交換手段に対して上流側に配置された第１フィルタと、
前記吸込口から吸い込んだ空気を清浄するとともに前記熱交換手段に対して上流側に配置された第２フィルタと、
前記本体ケースの下面に設けた開口を覆うフロントパネルとを備えた換気装置であって、
前記フロントパネルに前記第１,第２フィルタを取り付け、フロントパネルを外すことによりフロントパネルとともに第１,第２フィルタが本体ケースから取り外せることを特徴とする。
【００１６】
請求項１０の発明は、フロントパネルと本体ケースに固定する固定手段と、この固定手段による固定を解除するための抜差部材とを備え、
前記固定手段は、本体ケースに設けられた係合部材と、前記フロントパネルに設けられるとともに前記係合部材に係合してフロントパネルを本体ケースに取り付ける係止部材と、前記抜差部材の先端部に係合してその抜差部材の回動操作によって回動する回動部材と、この回動部材の回動によって前記係止部材を左右方向に移動させる移動手段とを備え、この移動手段は、前記係止部材を左右方向のどちらか一方へ移動させて係合部材に係合させることによりフロントパネルを本体ケースに固定し、その移動部材を他方へ移動させることによりその係合を外して前記固定を解除することを特徴とする。
【発明の効果】
【００１７】
この発明によれば、以上説明したように、この発明によれば、フィルタの取り外しが簡単に行える。
【発明を実施するための最良の形態】
【００１８】
以下、この発明に係わる換気装置の実施例を図面に基づいて説明する。
【実施例】
【００１９】
図１および図２に示す換気装置２は、本体ケース３と、この本体ケース３内に設けた全熱交換素子（熱交換手段）２３と、遠心ファン２０（第２送風ファン）,２１（第１送風ファン）等とを備えている。遠心ファン２０,２１は本体ケース３内に設けたファン収容室３Ｆａ,３Ｆｂ内に設けられており、遠心ファン２０,２１はモータ２２によって回転駆動される。
【００２０】
本体ケース３の左側壁３Ａには排気口８と外気導入口１１とが設けられており、本体ケース３の側壁３Ｂには外気を室内に給気する給気口９,１０が設けられている。８Ｄ,１１Ｄ,９Ｄ,１０Ｄは、排気口８,外気導入口１１,給気口９,１０に設けたダクドジョイントである。
【００２１】
また、本体ケース３の下面には室内の空気を吸い込む吸込口（還気口）３Ｒが形成され、本体ケース３の下面には天井板１を介してフロントパネル１２が取り付けられており、このフロントパネル１２によって本体ケース３の下面は覆われている。フロントパネル１２の周囲には複数の開口１２Ａ（図３参照）が形成され、この開口１２Ａを介して室内と吸込口３Ｒとが連通している。
【００２２】
フロントパネル１２には、図３に示すように、長方形状の開口１２Ｂ,１２Ｃが形成され、この開口１２Ｂ,１２Ｃには着脱自在にサブパネル１３（第２サブパネル）,１７（第１サブパネル）が取り付けられている。開口１２Ｂ,１２Ｃには段部１２Ｂa,１２Ｃaが形成され、この段部１２Ｂa,１２Ｃaにサブパネル１３,１７が係止されている。また、サブパネル１３,１７には長方形の孔１６（第１孔）,１９（第１孔）が設けられている。
【００２３】
他方、外気導入口１１はファン収容室３Ｆｂに連通し、排気口８はファン収容室３Ｆａに連通している。また、ファン収容室３Ｆａとファン収容室３Ｆｂは区画壁５によって上下に仕切られている。また、本体ケース３の下部には底壁４が設けられており、この底壁４と区画壁５とによってファン収容室３Ｆｂと全熱交換素子２３とを連通する案内風路７を形成し、区画壁５と本体ケース３の天板３Ｔとによって全熱交換素子２３とファン収容室３Ｆａとを連通する案内風路６を形成している。そして、ファン収容室３Ｆａは連通風路６および全熱交換素子２３を介して吸込口３Ｒに連通し、ファン収容室３Ｆｂは連通風路７および全熱交換素子２３を介して給気口９,１０に連通している。
【００２４】
そして、遠心ファン２１の回転により外気導入口１１から外気が導入され、この導入された外気は連通風路７および全熱交換素子２３を介して吸気口９,１０へ送風され、給気口１０から送風される外気は図１８に示すようにダクトジョイント１０Ｄに接続された給気ダクトＫＤを介して居室ＬＫに給気される。同様に、吸気口９へ送風された外気は、ダクトジョイント９Ｄに接続された図示しない給気ダクトを介して図示しない居室に給気される。
【００２５】
また、遠心ファン２０の回転によりフロントパネル１２の開口１２Ａから図１８に示す廊下ＬＲの空気が吸引され、この吸引された室内の空気が全熱交換素子２３および案内風路６を介して排気口８に送風され、この排気口８に送風された室内の空気はダクトジョイント８Ｄに接続された排気ダクトＨＤを介して屋外へ排気されるようになっている。そして、吸気口９,１０から各居室へ給気された外気は室内を循環してドアＤＡ１,ＤＡ２のアンダーカットＵＣ１,ＵＣ２を介して廊下ＬＲに設けたフロントパネル１２の開口１２Ａから吸い込まれていく。
【００２６】
なお、図１８に示すように、居室ＬＫの天井に吸込開口ＬＳを設け、本体ケース３の側壁３Ｂに吸込孔を設け、この吸込孔と吸込開口ＬＳとを吸込ダクトＳＤで接続して本体ケース３の吸込口３Ｒ（図２参照）と吸込開口ＬＳとを連通し、居室ＬＫの空気を吸込開口ＬＳから吸い込むようにしてもよく、図示しない居室を含めて、換気装置２は、住宅全体（同一フロア内）等の対象エリアの空気を吸込開口ＬＳとフロントパネル１２の開口１２Ａから連続的または断続的に常時吸い込んで排気を行うようになっている。換気量としては、前記対象エリアの０.５回／ｈの換気回数を満たすようになっている。
【００２７】
全熱交換素子２３は、外気導入口１１から導入された外気と、フロントパネル１２の開口１２Ａから吸引された室内の空気との潜熱及び顕熱の交換を行ない、外気を適正な温度と湿度にして室内へ給気するものである。
【００２８】
また、案内風路７にはフィルタ（第１フィルタ）２４が配置され、このフィルタ２４は底壁４に設けた穴４Ａから下方に引き出し可能となっている。また、全熱交換素子の底面にはフィルタ（第２フィルタ）２５が配置されている。
【００２９】
フィルタ２４は、基台１００の上面に取り付けられており、この基台１００の下面には図４および図５に示すように一対のロッド保持部材１０１Ａ,１０１Ｂが設けられており、このロッド保持部材１０１Ａ,１０１Ｂには左右方向に貫通した孔１０２Ａ,１０２Ｂが形成され、この孔１０２Ａ,１０２Ｂには（第１係止部材）ロッド１０３Ａ,１０３Ｂが左右方向に移動可能に貫装されている。各ロッド１０３Ａ,１０３Ｂの先端部１０３Ａa,１０３Ｂaには斜め下方に向いた傾斜面１０３Ａb,１０３Ｂbが形成され、この傾斜面１０３Ａb,１０３Ｂbの後ろにフランジ１０４Ａ,１０４Ｂが形成されている。このフランジ１０４Ａ,１０４Ｂとロッド保持部材１０１Ａ,１０１Ｂとの間にはスプリング１０５Ａ,１０５Ｂが介在され、このスプリング１０５Ａ,１０５Ｂによりロッド１０３Ａ,１０３Ｂは外方へ付勢されている。
【００３０】
他方、本体ケース３の底壁４にはロッド１０３Ａ,１０３Ｂに対向した位置に係合部材（第１係合部材）１１０Ａ,１１０Ｂが設けられており、この係合部材１１０Ａ,１１０Ｂの孔１１１Ａ,１１１Ｂにロッド１０３Ａ,１０３Ｂの先端部１０３Ａa,１０３Ｂaがスプリング１０５Ａ,１０５Ｂの付勢力によって挿入されて係合している。この係合により、基台１００は本体ケース３の底壁４に固定されている。
【００３１】
また、基台１００の下面には、ロッド１０３Ａ,１０３Ｂを左右方向に移動させるリンク機構（第１移動手段）１２０が設けられており、このリンク機構１２０は４つのリンク部材１２１〜１２４を有している。リンク部材１２１,１２２の一端はロッド１０３Ａの後部にピン１２５により軸止され、リンク部材１２３,１２４の一端はロッド１０３Ｂの後部にピン１２６により軸止され、リンク部材１２１,１２２の他端はリンク部材１２３,１２４の他端にピン１２７,１２８により軸支されている。
【００３２】
基台１００の下面には、リンク部材１２１〜１２４で囲まれる部分に楕円形の回動部材（第１回動部材）１３０が回動可能に取り付けられている。回動部材１３０には下方に突出した板状の係止板１３１が設けられている。この係止板１３１はサブプレート１７の孔１９の真上に位置している。
【００３３】
回動部材１３０を回動させると、図６に示すように、リンク機構１２０は上下方向（図６において）に開き、左右方向に収縮する状態となるので、ロッド１０３Ａ,１０３Ｂはスプリング１０５Ａ,１０５Ｂの付勢力に抗して内方へ移動し、図７に示すようにロッド１０３Ａ,１０３Ｂの先端部１０３Ａa,１０３Ｂaが係合部材１１０Ａ,１１０Ｂの孔１１１Ａ,１１１Ｂから外れるようになっている。そして、ロッド１０３Ａ,１０３Ｂと係合部材１１０Ａ,１１０Ｂとリンク機構１２０と回動部材１３０とで第１固定手段が構成される。
【００３４】
ロッド保持部材１０１Ａ,１０１Ｂの下部には下方に延びた軸部１０６Ａ,１０６Ｂが設けられており、この軸部１０６Ａ,１０６Ｂはサブパネル１７に設けた筒部１０７Ａ,１０７Ｂの孔１０７Ａｈ,１０７Ｂｈに上下動可能に挿入されている。また、ロッド保持部材１０１Ａ,１０１Ｂとサブパネル１７とはスプリング１０８,１０８により接続されており、サブパネル１７はスプリング１０８,１０８により上方に付勢されて、フロントパネル１２の開口１２Ｃの段部１２Ｃaに圧接している。
【００３５】
フィルタ２５は、図２および図９に示すように、基台２００の上面に設けた一対の支柱１５１と一対の支柱１５２とに取り付けられており、基台２００とフィルタ２５との間には所定の大きさの空間が形成され、室内の空気が本体ケース３の吸込口３Ｒからフィルタ２５へ流れていくのに支障を来さないようになっている。
【００３６】
基台２００の下面には、図９に示すように基台１００と同様にロッド保持部材２０１Ａ,２０１Ｂ、ロッド（第２係止部材）２０３Ａ,２０３Ｂ、係合部材（第２係合部材）２１０Ａ,２１０Ｂ、このロッド２０３Ａ,２０３Ｂを左右に移動させるリンク機構（第２移動手段）２２０、回動部材（第２回動部材）２３０、サブパネル１３に設けた筒部２０７Ａ,２０７Ｂ、ロッド保持部材２０１Ａ,２０１Ｂとサブパネル１３とを接続したスプリング２０８,２０８等が設けられており、基台１００のものと全く同一の構成となっているのでその詳細な説明は省略する。そして、ロッド２０３Ａ,２０３Ｂと係合部材２１０Ａ,２１０Ｂとリンク機構２２０と回動部材２３０とで第２固定手段が構成される。
【００３７】
また、図２および図４等に示す１５は所定の長さを有する抜差棒（抜差部材）であり、その先端部には平板状の一対の板部１５Ａ,１５Ａが形成され、板部１５Ａと板部１５Ａとの間には回動部材１３０,２３０の係止板１３１,２３１を挿入する隙間１５Ｂが形成されている。抜差棒１５はその先端部である板部１５Ａとともにサブパネル１３,１７の孔１６,１９に挿入できるようになっている。
【００３８】
次に、フィルタ２４,２５の取り外し方について説明する。
【００３９】
先ず、抜差棒１５を手に持ってその先端部である板部１５Ａ,１５Ａをサブパネル１７の孔１９に差し込んで、図４の鎖線で示すように、回動部材１３０の係止板１３１を板部１５Ａ,１５Ａ間の隙間１５Ｂ（図２参照）に挿入させる。そして、抜差棒１５を９０度回動させて回動部材１３０を図５に示す位置から９０度回動させる。
【００４０】
回動部材１３０が９０度回動すると、図６に示すように、リンク機構１２０は上下方向（図６において）に開き、左右方向に収縮するので、ロッド１０３Ａ,１０３Ｂはスプリング１０５Ａ,１０５Ｂの付勢力に抗して内方へ移動し、図７に示すようにロッド１０３Ａ,１０３Ｂの先端部１０３Ａa,１０３Ｂaがロッド保持部材１０１Ａ,１０１Ｂの孔１０２Ａ,１０２Ｂから外れる。その先端部１０３Ａa,１０３Ｂaがロッド保持部材１０１Ａ,１０１Ｂの孔１０２Ａ,１０２Ｂから外れると、基台２００は回動部材１３０の係止板１３１を介して抜差棒１５に支持されて本体ケース３から外れることになる。
【００４１】
そして、その抜差棒１５を下に下ろしていくと、図８に示すように基台２００が抜差棒１５とともに下がっていき、フィルタ２４が底壁４の穴４Ａから下方に引き出されていき、本体ケース３から外すことができる。
【００４２】
サブパネル１７は、ロッド保持部材１０１Ａ,１０１Ｂにスプリング１０８,１０８によって接続されているので、基台２００とともにサブパネル１７は下方に下ろされていく。
【００４３】
このように、抜差棒１５をサブパネル１７の孔１９に差し込んで回動させ、そしてこの抜差棒１５を下に下ろしていけば、フィルタ２４をサブパネル１７とともに外すことができるので、その取り外し作業は至って簡単であり、従来のように椅子や脚立を用意する必要がなく、その上に乗って取り外す作業を行う必要もない。
【００４４】
フィルタ２４の本体ケース３への装着は、上記順序の逆を行うことによってフィルタ２４とサブパネル１７を所定位置へ取り付けることができ、この取り付けも簡単に行うことができる。
【００４５】
フィルタ２５の取り外しや取り付けは、上記と全く同じようにして取り外しや取り付けをすることができるので、その説明は省略する。
【００４６】
この第１実施例では、送風ファン２１の下流に全熱交換素子２３を配置しているが、送風ファン２１の上流側に送風ファン２１を配置して、外気は全熱交換素子２３を通して送風ファン２１に吸い込ませる構成であってもよく、送風ファン２０,２１と全熱交換素子２３の配置はこれらの構造に限定されるものではない。また、給気口９,１０は２つ以上あってもよい。
［第２実施形態］
図１０は第２実施形態の換気装置３０を示したものである。図１０において、３１は本体ケースであり、この本体ケース３１の右側壁３１Ａには外気導入口３２と排気口３３とが設けられており、本体ケース３１の左側壁３１Ｂには外気を室内に給気する複数の給気口３４が設けられている。また、本体ケース３１の底壁３１Ｄには室内の空気を吸い込む吸込口（還気口）３５と、後述するフィルタ（第１フィルタ）３７を下方へ引き出すための穴３１ｈが形成され、天井板２８には本体ケース３１の底面より小さい開口２９が形成され、この開口２９はフロントパネル４０によって覆われており、このフロントパネル４０の周囲には複数の開口４１が形成されている。この開口４１は天井板２８の開口２９を介して吸込口３５に連通している。
【００４７】
本体ケース３１内には、全熱交換素子（熱交換手段）３６とフィルタ３７,３８等とが配置されており、全熱交換素子３６が本体ケース３１の底壁３１Ｄに取り付けられているとともに全熱交換素子３６の底部が本体ケース３の底壁３１Ｄの吸込口３５に挿入されている。この吸込口３５にはフィルタ（第２フィルタ）３８が配置され、全熱交換素子３６の底部にフィルタ３８が当接している。
【００４８】
また、本体ケース３１内には、区画壁５と本体ケース３１の天板３１Ｔとの間には仕切壁３９が設けられ、この仕切壁３９と区画壁５とによって室内の空気を吸引するための吸引風路４３が形成されている。仕切壁３９は本体ケース３１の側壁３１Ａまで延びており、仕切壁３９と天板３１Ｔとによって室内の空気を排気するための排気風路４４を形成している。フィルタ３７は仕切壁３９と底壁３１Ｄとの間であって且つ全熱交換素子３６と外気導入口３２との間に配置されている。
【００４９】
そして、吸引風路４３は全熱交換素子３６を介して本体ケース３１の底壁３１Ｄの吸込口３５に連通し、吸引風路４３はファン収容室３１Ｆａを介して排気風路４４に連通し、排気風路４４は排気口３３に連通している。また、外気導入口３２はフィルタ３７,全熱交換素子３６およびファン収容室３１Ｆｂを介して給気口３４に連通している。そして、送風ファン２１の回転により外気導入口３２から外気が導入され、この導入された外気はフィルタ３７および全熱交換素子３６を介しファン収容室３１Ｆｂへ吸引される。この吸引された外気は複数の給気口３４へ送風され、この給気口３４から送風される外気はダクトジョイント１０Ｄに接続された図示しないダクトを介して各部屋に給気されるようになっている。また、送風ファン２０の回転によりフロントパネル４０の開口４１から室内の空気が吸引され、この吸引された室内の空気がフィルタ３８,全熱交換素子３６および吸引風路４３を介してファン収容室３１Ｆａへ吸引される。
【００５０】
ファン収容室３１Ｆａへ吸引された室内の空気は排気風路４４を介して排気口３３に送風され、この排気口３３から排出される室内の空気はダクトジョイント８Ｄに接続された図示しないダクトを介して屋外へ排気されるようになっている。
【００５１】
全熱交換素子３６は、第１実施形態の全熱交換素子２３と全く同一の機能を有しているのでその説明は省略する。
【００５２】
フィルタ３７は基台４６に取り付けられ、基台４６は図１１に示すように４つのスプリング４７を介してフロントパネル４０に支持されており、フィルタ３８は図１２に示すように枠体４９に取り付けられており、この枠体４９は４つのスプリング４８を介してフロントパネル４０に支持されている。
【００５３】
また、フロントパネル４０の上（裏面）には図１１に示すように、フロントパネル４０の一端側（図１１において上側）の左右には一対のロッド（係止部材）５０,５０が上下（図１３において）に移動可能に配置され、このロッド５０,５０は図示しないガイド部材により上下方向（図１１において）に移動するようにガイドされている。各ロッド５０の先端部５０Ａには傾斜面５０ａ（図１２参照）が形成され、ロッド５０,５０の後部は連結部材５１（図１１および図１４参照）により互いに連結されている。またロッド５０,５０の後部にはフランジ５０Ｆ,５０Ｆが設けられている。
【００５４】
フロントパネル４０の他端側（図１１において下側）の左右には一対のロッド（係止部材）５２,５２が上下（図１１において）に移動可能に配置され、ロッド５２,５２は図示しないガイド部材により上下方向（図１１において）に移動するようにガイドされている。各ロッド５２の先端部５２Ａには図１２に示すように傾斜面５２ａが形成され、ロッド５２,５２の後部は連結部材５３（図１１および図１４参照）により互いに連結されている。また、ロッド５２,５２の後部にはフランジ５２Ｆ,５２Ｆが設けられている。そして、ロッド５０,５０のフランジ５０Ｆ,５０Ｆとロッド５２,５２のフランジ５２Ｆ,５２Ｆとの間にスプリング５４,５４が設けられており、このスプリング５４,５４の付勢力により各ロッド５０,５０,５２,５２は外方（図１１において上下方向）に付勢されている。
【００５５】
他方、本体ケース３１の底壁３１Ｄには、各ロッド５０,５０,５２,５２に対向して係合部材６０,６０,６１,６１が設けられており、係合部材６０,６０,６１,６１には孔６０Ａ,６０Ａ,６１Ａ,６１Ａが形成され、この孔６０Ａ,６０Ａ,６１Ａ,６１Ａにはスプリング５４,５４の付勢力によって各ロッド５０,５０,５２,５２の先端部５０Ａ,５０Ａ,５２Ａ,５２Ａのが係合していて、フロントパネル４０が係合部材６０,６０,６１,６１に取り付けられている。
【００５６】
また、フロントパネル４０の上面（裏面）には、各ロッド５０,５０,５２,５２を左右方向（図１１において上下方向）に移動させるリンク機構７０が設けられており、このリンク機構７０は４つのリンク部材７１〜７４を有している。リンク部材７１,７２の一端は連結部材５１に軸止され、リンク部材７３,７４の一端は連結部材５３に軸止され、リンク部材７１,７２の他端はリンク部材７３,７４の他端に軸支されている。
【００５７】
フロントパネル４０には、ホルダ８０が取り付けられており、このホルダ８０に回動部材９０が回動可能に貫装されている。この回動部材９０は楕円形の回動部９１を有しており、この回動部９１はリンク機構７０のリンク部材７１〜７４で囲まれる部分であって且つホルダ８０の筒部８１の上に設けられている。また、回動部材９０は、係止板部９２を有しており、この係止板部９２はホルダ８０の円板８２の下から下方突出している。円板８２はフロントパネル４０の表面（下面）に設けられている。
【００５８】
次に、フィルタ２４,２５の取り外し方について説明する。
【００５９】
先ず、図１０に示す抜差棒１５の先端部である板部１５Ａ,１５Ａ間の隙間１５Ｂにフロントパネル４０の係止板部９２を挿入させる。そして、図１３に示すように抜差棒１５を９０度回動させて回動部材９０を回動させる。この回動部材９０の回動とともに回動部９１が図１１に示す位置から図１４に示す位置へ回動する。この回動部９１の回動により、リンク機構７０は左右方向に開き上下方向（図１６において）に収縮するので、この収縮とともに連結部材５１,５３が図１１に示す位置から図１４に示す内側の位置へ移動する。
【００６０】
この連結部材５１,５３の移動とともに各ロッド５０,５２が内側へ移動することにより、図１５に示すように各ロッド５０,５３の先端部５０Ａ,５３Ａが各係合部材６０,６１の孔６０Ａ,６１Ａから外れる。各ロッド５０,５３が各係合部材６０,６１から外れると、フロントパネル４０が回動部材９０の係止板部９２を介して抜差棒１５に支持され、フロントパネル４０は本体ケース３１から外れた状態になる。
【００６１】
そして、その抜差棒１５を下に引き下げていくと、この抜差棒１５とともにフロントパネル４０は下に引き下げられていき、フィルタ３７,３８はスプリング４７,４８を介してフロントパネル４０に支持されていることにより、フロントパネル４０の引き下げとともに図１６および図１７に示すように本体ケース３１の底壁３１Ｄの穴３１ｈ,３５からフィルタ３７,３８が引き出されていき、本体ケース３１から取り外されることになる。
【００６２】
このように、フロントパネル４０とともに２つのフィルタ３７,３８を同時に取り外すことができる。
【００６３】
第２実施例の給気口３４は１つであるが複数設けてもよい。また、給気口３４が１つの場合、その給気口３４に接続される室内への給気ダクトの途中で分岐チャンバを設け、この分岐チャンバから分岐して複数の室内へ給気が行われるようにしてもよい。また、吸込口３５は本体ケース３１の下面に設けているが、本体ケース３１の下面と側面とに複数設けてもよい。
【図面の簡単な説明】
【００６４】
【図１】この発明に係る換気装置の構成を示した斜視図である。
【図２】図１の換気装置の構成を示した縦断面図である。
【図３】上記換気装置のフロントパネルの示した底面図である。
【図４】図１の換気装置の構成を示した縦断面図である。
【図５】リンク機構とロッドを示した説明図である。
【図６】リンク機構によってロッドが係合部材から外れた状態を示した説明図である。
【図７】図４に示すロッドが係合部材から外れた状態を示した説明図である。
【図８】第１フィルタがサブパネルとともに本体ケースから取り外された状態を示した説明図である。
【図９】第２フィルタが本体ケースに取り付けられている状態を示した横断面図である。
【図１０】第２実施形態の換気装置の構成を示した縦断面図である。
【図１１】フロントパネルに取り付けられたリンク機構とロッドなどを示した平面図である。
【図１２】（Ａ）第２フィルタがフロントパネルに取り付けられている状態を示した説明        図である。
【００６５】
（Ｂ）第１フィルタがフロントパネルに取り付けられている状態を示した説明        図である。
【図１３】フロントパネルの回動部が回動された状態を示した説明図である。
【図１４】リンク機構によってロッドが係合部材から外れた状態を示した説明図である。
【図１５】（Ａ）第２フィルタが取り外される状態を示した説明図である。
【００６６】
（Ｂ）第１フィルタが取り外される状態を示した説明図である。
【図１６】フロントパネルとともに第１,第２フィルタを取り外した状態を示した説明図である。
【図１７】（Ａ）フロントパネルとともに第１フィルタが取り外せることを示した説明図        である。
【００６７】
（Ｂ）フロントパネルとともに第２フィルタが取り外せることを示した説明図        である。
【図１８】図１に示す換気装置を取り付けた住居を概略的に示した概念図である。
【符号の説明】
【００６８】
２          換気装置
３          本体ケース
９          室内給気口
１０        室内給気口
１１        外気導入口
１２        フロントパネル
１７        サブパネル（第１サブパネル）
２１        （遠心ファン）第１送風ファン
２４        フィルタ（第１フィルタ）
【図１】
2005147509.tif 000003
【図２】
2005147509.tif 000004
【図３】
2005147509.tif 000005
【図４】
2005147509.tif 000006
【図５】
2005147509.tif 000007
【図６】
2005147509.tif 000008
【図７】
2005147509.tif 000009
【図８】
2005147509.tif 000010
【図９】
2005147509.tif 000011
【図１０】
2005147509.tif 000012
【図１１】
2005147509.tif 000013
【図１２】
2005147509.tif 000014
【図１３】
2005147509.tif 000015
【図１４】
2005147509.tif 000016
【図１５】
2005147509.tif 000017
【図１６】
2005147509.tif 000018
【図１７】
2005147509.tif 000019
【図１８】
2005147509.tif 000020